(57)【特許請求の範囲】
【請求項１】
車両のシートのシートバック所定位置に折り畳み格納可能に設けられる折り畳み式テーブル構造において、
一辺が前記シートバックの所定位置に支軸により上下方向に回動自在に支持された略矩形を有するテーブル本体と、
前記テーブル本体の前記支軸側の隅部を構成する一側面、該一側面に隣接する隣接側面および前記テーブル本体使用状態における上面に連続して形成された凹溝と
を備えることを特徴とする折り畳み式テーブル構造。
【発明の詳細な説明】
【技術分野】
【０００１】
本発明は、シートバックの所定位置に折り畳み格納可能に設けられた折り畳み式テーブル構造に関する。
【背景技術】
【０００２】
従来、自動車等の車両において、シートのシートバックに折り畳み格納可能なテーブルを設け、さらにこのテーブルを格納状態に保持するロック部材にフック部を形成して買い物袋など等の荷物を吊り下げられるようにすることが行われている（特許文献１参照）。
【先行技術文献】
【特許文献】
【０００３】
【特許文献１】特開２００４−１２１４２５号公報（段落００１５および図１〜図５）
【発明の概要】
【発明が解決しようとする課題】
【０００４】
しかし、上記した特許文献１に記載のようなフック部の場合、テーブルをロック状態に保持するロック部材にフック機能を付加したものであるため、フック部の耐荷重として十分大きな値を設定することができず、重量の重い荷物を吊り下げたときに、フック部が破損するおそれがある。
【０００５】
また、ロック部材のロックを解除してテーブルを格納状態から使用可能状態に水平に倒すと、テーブルと荷物とが干渉するため、テーブルを使用するときにはフック部に荷物を吊り下げ辛くなるという問題がある。
【０００６】
本発明は、テーブル本体に荷物を吊り下げられるようにし、テーブル使用時においてテーブルと荷物との干渉をなくし、十分な耐荷重で荷物を吊り下げられるようにすることを目的とする。
【課題を解決するための手段】
【０００７】
上記した目的を達成するために、本発明の折り畳み式テーブル構造は、車両のシートのシートバック所定位置に折り畳み格納可能に設けられる折り畳み式テーブル構造において、一辺が前記シートバックの所定位置に支軸により上下方向に回動自在に支持された略矩形を有するテーブル本体と、前記テーブル本体の前記支軸側の隅部を構成する一側面、該一側面に隣接する隣接側面および前記テーブル本体使用状態における上面に連続して形成された凹溝とを備えることを特徴としている。
【発明の効果】
【０００８】
本発明によれば、略矩形のテーブル本体の支軸側の隅部を構成する一側面、該一側面に隣接する隣接側面およびテーブル本体使用状態における上面に連続して凹溝を形成したため、この凹溝に買い物袋等の収納袋の把手を引っ掛けて吊り下げることができる。このとき、テーブル本体の支軸側の隅部を構成する一側面、該一側面に隣接する隣接側面およびテーブル本体使用状態における上面に連続して凹溝を形成することにより、テーブル本体を格納状態から使用状態に倒しても、テーブル本体と荷物が干渉することがなく実用性に優れる。
【０００９】
また、凹溝を形成するテーブル本体の隅部を、シートバックに回転自在にテーブル本体を支持する支軸側とすると、荷物の荷重をテーブル本体の支軸部分で受けることが可能になり、テーブル本体が格納状態であると使用状態であるとに関わらず、テーブル本体の耐荷重と略同等の荷重の収納袋を吊り下げることができる。
【図面の簡単な説明】
【００１０】
【図１】本発明に係る折り畳み式テーブル構造の一実施形態の斜視図である。
【図２】図１の一部の斜視図である。
【図３】図２の平面図である。
【発明を実施するための形態】
【００１１】
本発明に係る折り畳み式テーブル構造の一実施形態について、図１ないし図３を参照して詳細に説明する。なお、本実施形態でいう前後、左右とはシートに着座した状態で見た前後、左右を意味する。
【００１２】
図１に示すように、車両である自動車の運転席や助手席等のシート１のシートバック１ａの所定位置である略中央に、略矩形状を有するテーブル本体２の一辺である上辺が図１中の矢印方向に回転自在に枢支され、図１中の１点鎖線に示すように、テーブル本体２の下辺が上向きに回転されてテーブル本体２が略水平になるまで回動されると、図示しないロック機構のロックによりテーブル本体２が水平を保持するようにロックされ、テーブル本体２が使用可能状態に保持される。
【００１３】
一方、ロック機構のロックを解除すると、テーブル本体２の下辺が下向きに回動可能になり、図１中の実線に示すように、テーブル本体２がシートバック１ａに平行になるまで回動されてシートバック１ａに平行な格納状態に保持される。ここで、テーブル本体２は、水平に保持された使用状態において上面周縁に盛り上がった縁取りが施された形状に樹脂成形されており、上記したロック機構は、テーブル本体２の水平に保持された使用状態における下面側に配設されている。
【００１４】
そして、図２、図３に示すように、テーブル本体２の一つの隅部を構成する上辺およびこれに隣接する隣接辺である左辺の側面にそれぞれ凹溝２ａ，２ｂが形成されるとともに、テーブル本体２の水平に保持された使用状態における上面側に両凹溝２ａ，２ｂを連結する凹溝２ｃが形成されている。なお、各凹溝２ａ，２ｂ，２ｃはテーブル本体２の樹脂成形時に形成される。
【００１５】
そして、テーブル本体２が格納状態にあるときに、例えばコンビニエンスストアやスーパーマーケットなどで購入した商品を収納したいわゆるレジ袋などの収納袋の把手を凹溝２ａ，２ｂに引っ掛けることにより、収納袋を吊り下げることができる。また、テーブル本体２が水平な使用状態にあるときには、収納袋の把手をテーブル本体２の上面の凹溝２ｃに引っ掛けることにより、収納袋を吊り下げることができる。
【００１６】
したがって、上記した実施形態によれば、テーブル本体２の支軸側の隅部を構成する一側面、該一側面に隣接する隣接側面およびテーブル本体使用状態における上面に連続して凹溝２ａ，２ｂ，２ｃを形成することにより、テーブル本体２を格納状態から使用状態に倒しても、テーブル本体２と荷物が干渉することがなく実用性に優れる。
【００１７】
また、凹溝を形成するテーブル本体２の隅部を、シートバックに回転自在にテーブル本体２を支持する回転軸側とすると、テーブル本体２が格納状態であると使用状態であるとに関わらず、テーブル本体２の耐荷重と略同等の荷重の収納袋を吊り下げることが可能になる。
【００１８】
なお、本発明は上記した実施形態に限定されるものではなく、その趣旨を逸脱しない限りにおいて上述したもの以外に種々の変更を行なうことが可能である。
【００１９】
例えば、上記した実施形態では、テーブル本体２の左上隅部を構成する格納状態における上辺およびこれに隣接する隣接辺である左辺の側面にそれぞれ凹溝２ａ，２ｂを形成した場合について説明したが、当該隅部と反対の右上隅部を構成するテーブル本体２の格納状態における上辺およびその隣接片である右辺の側面にそれぞれ凹溝を形成してもよく、テーブル本体２の格納状態における上辺の左右の両上隅部にそれぞれ凹溝を形成してもよい。
【００２０】
また、テーブル本体２の格納状態における下辺並びに左辺および／または右辺の側面にそれぞれ凹溝を形成してもよい。さらに、テーブル本体２は、上記した実施形態とは反対に下辺を下向きに回転させることにより水平な使用状態に保持できる構造としてもよい。
【符号の説明】
【００２１】
１ａ  …シートバック
２    …テーブル本体
２ａ，２ｂ  …凹溝
【図１】
0006656749.tif 000002
【図２】
0006656749.tif 000003
【図３】
0006656749.tif 000004